(57)【要約】【課題】遠心送風機を大型化させることなく遠心送風機に温度センサを取り付ける。【解決手段】遠心送風機２は、回転軸２４周りに複数の翼２１ａが設けられた羽根車２１と、羽根車２１から吐き出された空気を吐出口２３ｅに導く渦巻き状の壁部２３ａを有し、回転軸２４の一方の側に吸入口２３ｆが形成されるケーシング２３と、壁部２３ａの基点である舌部２３ｄに固定され、吸入口２３ｆからケーシング２３に吸い込まれる空気の温度を検出する温度センサ８と、を備える。【選択図】図１
2015165120.tif 000002
【特許請求の範囲】
【請求項１】
遠心送風機であって、
回転軸周りに複数の翼が設けられた羽根車と、
前記羽根車から吐き出された空気を吐出口に導く渦巻き状の壁部を有し、前記回転軸の一方の側に吸入口が形成されるケーシングと、
前記壁部の基点である舌部に固定され、前記吸入口から前記ケーシングに吸い込まれる空気の温度を検出する温度センサと、
を備えたことを特徴とする遠心送風機。
【請求項２】
請求項１に記載の遠心送風機であって、
前記温度センサは、センシング部と前記センシング部から延びる軸部を有しており、
前記ケーシングは、前記回転軸の軸方向に分割可能であり、
前記舌部は、前記回転軸の軸方向に延びる取付穴を有しており、
前記軸部は前記取付穴に固定される、
ことを特徴とする遠心送風機。
【請求項３】
請求項２に記載の遠心送風機であって、
前記取付穴は貫通孔であり、
前記温度センサの配線が前記取付穴を介して前記吸入口とは反対の側に延びている、
ことを特徴とする遠心送風機。
【請求項４】
請求項１から３のいずれかに記載の遠心送風機と、
前記吐出口の下流側に配置されて、前記吐出口から吐き出された空気と熱交換をすることによって前記吐出口から吐き出された空気の温度を変化させる温度変更部と、
を備え、
前記温度変更部の作動状態が、前記温度センサによって検出される温度に応じて変化する、
ことを特徴とする温調装置。
【発明の詳細な説明】
【技術分野】
【０００１】
本発明は、遠心送風機及びそれを用いた温調装置に関する。
【背景技術】
【０００２】
特許文献１には、バッテリの温度調節を目的として、バッテリケース内に加熱用ヒータと冷却用熱交換器とを配置し、遠心送風機でバッテリケース内の空気を循環させる構成が開示されている。
【先行技術文献】
【特許文献】
【０００３】
【特許文献１】特開２０１３−１７１６６２号公報
【発明の概要】
【発明が解決しようとする課題】
【０００４】
このような温調装置においては、バッテリ等の温度制御対象を所望の温度に制御するのに必要とされる加熱用ヒータや冷却用熱交換器の作動状態や遠心送風機の送風量を判断するために、温度制御対象そのものの温度に加え、遠心送風機に吸い込まれる空気の温度を把握するのが好適である。
【０００５】
しかしながら、遠心送風機のケーシングに温度センサを取り付けるとなると、温度センサ固定用の別部品を用意して温度センサをケーシングに取り付ける必要があり、遠心送風機が大型化する原因となる。
【０００６】
本発明は、このような技術的課題に鑑みてなされたもので、遠心送風機を大型化させることなく遠心送風機に温度センサを取り付けることを目的とする。
【課題を解決するための手段】
【０００７】
本発明のある態様によれば、遠心送風機であって、回転軸周りに複数の翼が設けられた羽根車と、前記羽根車から吐き出された空気を吐出口に導く渦巻き状の壁部を有し、前記回転軸の一方の側に吸入口が形成されるケーシングと、前記壁部の基点である舌部に固定され、前記吸入口から前記ケーシングに吸い込まれる空気の温度を検出する温度センサと、を備えたことを特徴とする遠心送風機が提供される。
【発明の効果】
【０００８】
上記態様によれば、温度センサを固定するための構造、部品を別途設ける必要がなくなり、遠心送風機を大型化させることなく遠心送風機に温度センサを取り付けることができる。
【図面の簡単な説明】
【０００９】
【図１】本発明の実施形態に係る遠心送風機を備えた温調装置の概略構成図である。
【図２】図１のII-II断面図である。
【発明を実施するための形態】
【００１０】
以下、添付図面を参照しながら本発明の実施形態について説明する。
【００１１】
図１は、本発明の実施形態に係る遠心送風機２を備えた温調装置１の概略構成を示している。図２は、図１のII-II断面である。
【００１２】
温調装置１は、遠心送風機２と、ダクト４と、ＰＴＣヒータ５と、冷却用熱交換器６と、コントローラ７とを備える。遠心送風機２から吐き出される空気がダクト４に流入すると、ＰＴＣヒータ５及び冷却用熱交換器６によって所望の温度に調整され、さらに下流に配置される温度制御対象（例えば、車両用バッテリ）へと送られる。所望の温度は、温度制御対象を適温に制御するために必要な空気の温度である。
【００１３】
遠心送風機２は、羽根車２１と、モータ２２と、ケーシング２３とで構成される。
【００１４】
羽根車２１は、回転軸２４の周囲に複数の翼２１ａが配置された円筒状のファンであり、モータ２２によって回転駆動される。
【００１５】
ケーシング２３は、渦巻き状の壁部２３ａと、壁部２３ａの上端に接続する天井部２３ｂと、壁部２３ａの下端に接続する底部２３ｃとを備える。ケーシング２３はケーシング２３の下流側に接続するダクト４と一体になっており、また、上下に分割可能な二つの部品で構成される。なお、図１では、理解を容易にするために、これら二つの部品のうち上側の部品の図示を省略している。
【００１６】
ケーシング２３の内部には羽根車２１が配置され、底部２３ｃにはモータ２２が固定される。壁部２３ａは、舌部２３ｄを基点として羽根車２１の周囲に延び、舌部２３ｄとこれに対向する部位との間に吐出口２３ｅが形成される。また、天井部２３ｂの中央、すなわち、羽根車２１の回転軸２４の上方には、吸入口２３ｆが形成される。舌部２３ｄには、吸入口２３ｆからケーシング２３に流入する空気の温度を検出する温度センサ８が取り付けられている。温度センサ８の取付構造については後述する。
【００１７】
ＰＴＣヒータ５は、通電すると発熱する発熱体と、上流側から流れてきた空気を発熱体に接触させつつ下流側へと送る複数の空気通路とを備える。発熱体が通電加熱された状態でＰＴＣヒータ５に空気が流入すると、発熱体によって空気が加熱され、温度が上昇した空気がＰＴＣヒータ５から流れ出る。
【００１８】
冷却用熱交換器６は、冷凍サイクルのエバポレータである。冷凍サイクル運転中に冷却用熱交換器６に空気が流入すると、冷媒と空気との間で熱交換が行われて空気が冷却され、温度が下降した空気が冷却用熱交換器６から流れ出る。
【００１９】
また、コントローラ７は、マイプロプロセッサ、メモリ、入力インターフェース、出力インターフェース等で構成され、温度制御対象そのものの温度に加え、温度センサ８によって検出される空気の温度に基づき、遠心送風機２、ＰＴＣヒータ５及び冷凍サイクルの運転状態を変更する。
【００２０】
例えば、検出された空気の温度が、温度制御対象を適温に制御するために必要とされる温度よりも高い場合には、冷却用熱交換器６によって空気がより冷却されるよう、冷凍サイクルのコンプレッサの回転速度を上昇させるとともに、モータ２２の回転速度を上昇させて遠心送風機２の送風量を増大させる。逆に、検出された空気の温度が、必要とされる温度よりも低い場合は、ＰＴＣヒータ５によって空気がより加熱されるよう、ＰＴＣヒータ５への通電量を増大させる。
【００２１】
上記構成によれば、モータ２２によって羽根車２１が回転駆動されると、羽根車２１内部の空気が遠心力によって外側に向けて吐き出される。また、羽根車２１内部が負圧になることによって吸入口２３ｆから羽根車２１内部に空気が吸い込まれる。
【００２２】
そして、羽根車２１から吐き出された空気は、壁部２３ａによって吐出口２３ｅへと導かれ、ダクト４へと流入し、ＰＴＣヒータ５及び冷却用熱交換器６によって温度制御対象を適温に制御するのに必要な温度に調整される。
【００２３】
続いて、温度センサ８の構造及びその取付構造について説明する。
【００２４】
温度センサ８は、図２に示すように、センシング部８１と、センシング部８１から延びる軸部８２と、軸部８２の下端から延びる配線８３とから構成され、舌部２３ｄを利用して取り付けられる。
【００２５】
舌部２３ｄは、壁部２３ａの他の部位よりも肉厚になっており、内側に羽根車２１の回転軸２４の軸方向に延びる取付穴２３ｇが形成されている。取付穴２３ｇは、ケーシング２３を貫通する貫通孔である。
【００２６】
温度センサ８の固定は、軸部８２を取付穴２３ｇに挿入し、図示しないツメをケーシング２３側のフックに係合させる、取付穴２３ｇに形成された雌ネジ部に軸部８２に形成された雄ネジ部を螺合させる等によって行われる。
【００２７】
これにより、センシング部８１がケーシング２３の吸入口２３ｆ側に露出し、温度センサ８は吸入口２３ｆからケーシング２３に吸い込まれる空気の温度を検出するこができる。また、温度センサ８の配線８３は、取付穴２３ｇを介して吸入口２３ｆとは反対の側から取り出される。
【００２８】
続いて、本実施形態の効果について説明する。
【００２９】
本実施形態によれば、吸入口２３ｆからケーシング２３に吸い込まれる空気の温度を検出する温度センサ８が舌部２３ｄに固定される。これにより、温度センサ８を固定するための構造、部品を別途設ける必要がなくなり、遠心送風機２及びそれを用いた温調装置１を大型化させることなく遠心送風機２に温度センサ８を取り付けることができる。
【００３０】
また、ケーシング２３を回転軸２４の軸方向に分割可能にするとともに、舌部２３ｄに回転軸２４の軸方向に延びる取付穴２３ｇに温度センサ８の軸部８２を固定するようにした。これにより、ケーシング２３を金型で成型する際に取付穴２３ｇを同時に成型することができ、遠心送風機２及びそれを用いた温調装置１の製造コストを下げることができる。
【００３１】
また、取付穴２３ｇを貫通孔とし、温度センサ８の配線８３が吸入口２３ｆとは反対の側から延びるようにしたことにより、温度センサ８の配線８３のレイアウトが容易になる。また、モータ２２の配線２２ａと同じ側に温度センサ８の配線８３が取り出されるので、これらの配線８３、２２ａを束ねることができ、配線８３、２２ａが煩雑になるのを防止することができる。
【００３２】
以上、本発明の実施形態について説明したが、上記実施形態は本発明の適用例の一つを示したものに過ぎず、本発明の技術的範囲を上記実施形態の具体的構成に限定する趣旨ではない。
【００３３】
例えば、上記実施形態では、吐出口２３ｅの下流側にＰＴＣヒータ５と冷却用熱交換器６を配置して温度制御対象に送られる空気の温度を変化させているが、空気の温度を変更させる装置はこれらに限らず、その他の加熱装置、冷却装置を利用することができる。
【００３４】
また、吐出口２３ｅの下流側に加熱装置及び冷却装置を設けることは必須ではなく、いずれか一方だけであってもよいし、温度センサ８によって検出される空気の温度等に応じて遠心送風機２の送風量を制御するだけの構成であってもよい。
【００３５】
また、舌部２３ｄに温度センサ８を固定する態様は、舌部２３ｄに取付穴２３ｇを形成し、これに温度センサ８の軸部８２を固定する態様に限定されず、舌部２３ｄから上方に延びる固定部を立設し、これに温度センサ８の軸部８２を固定するようにしてもよい（例えば、舌部２３ｄに雄ネジを立設し、これに軸部８２を螺合させる等）。
【符号の説明】
【００３６】
１      温調装置
２      遠心送風機
５      ＰＴＣヒータ（温度変更部）
６      冷却用熱交換器（温度変更部）
７      コントローラ
８      温度センサ
８１    センシング部
８２    軸部
８３    配線
２１    羽根車
２３    ケーシング
２３ａ  壁部
２３ｄ  舌部
２３ｅ  吐出口
２３ｆ  吸入口
２３ｇ  取付穴
２４    回転軸
【図１】
2015165120.tif 000003
【図２】
2015165120.tif 000004